(57)【要約】【課題】小型、かつ、単純な構造で、防水機能を有したコネクタ装置を提供する。【解決手段】基板２３に取り付けられ、開口部４７が形成された接続部３９を有し、接続部３９にＦＰＣ４４が挿入されて接続されるＦＰＣ／ＦＦＣ用コネクタ４３、を有するコネクタ装置４０において、基板２３に固着され、ＦＰＣ４４を基板２３に押さえつけつつ、接続部３９を覆い、接続部３９への外部からの液体の侵入を遮断する防滴カバー４１（弾性部材）と、防滴カバー４１に固着され、ＦＰＣ／ＦＦＣ用コネクタ４３を覆い、ＦＰＣ／ＦＦＣ用コネクタ４３に侵入する外部からの液体を遮断するフィルム４２と、を備えた。【選択図】図３
2008277060.tif 000002
【特許請求の範囲】
【請求項１】
基板に取り付けられ、開口部が形成された接続部を有し、前記接続部にＦＰＣ又はＦＦＣが挿入されて接続されるコネクタ、を有するコネクタ装置において、
前記基板に固着され、前記ＦＰＣ又はＦＦＣを前記基板に押さえつけつつ、前記接続部を覆い、前記接続部への外部からの液体の侵入を遮断する弾性部材と、
前記弾性部材に固着され、前記コネクタを覆い、前記コネクタに侵入する外部からの液体を遮断するフィルムと、を備えた
ことを特徴とするコネクタ装置。
【請求項２】
前記弾性部材は、前記コネクタの外形に沿った形状の切り欠き部を有し、当該切り欠き部に前記コネクタを嵌めた状態で前記基板に固着される
ことを特徴とする請求項１に記載のコネクタ装置。
【請求項３】
前記接続部に形成された前記開口部は、鉛直方向下方へ開口し、
前記弾性部材は、前記コネクタの下方側から前記開口部を覆った状態で前記基板に固着されている
ことを特徴とする請求項１又は２に記載のコネクタ装置。
【請求項４】
前記弾性部材は、前記接続部を覆う第一の面と、
一端が前記第一の面の一端と連結され、前記コネクタの一側面を覆う第二の面と、
一端が前記第一の面の他端と連結され、前記コネクタの他側面を覆う第三の面と、を有する
ことを特徴とする請求項１乃至３のいずれかに記載のコネクタ装置。
【請求項５】
前記コネクタは、ハウジングと、一端が前記ハウジングに回動可能に支持され、前記ＦＰＣ又はＦＦＣを所定位置に保持すべく回動されてロック状態となるロックレバーと、を有し、
前記フィルムは、前記ロックレバーに当接されて前記ロックレバーの前記ロック状態を保持する
ことを特徴とする請求項１乃至４のいずれかに記載のコネクタ装置。
【請求項６】
前記フィルムは、透明材料で形成されている
ことを特徴とする請求項１乃至５のいずれかに記載のコネクタ装置。
【発明の詳細な説明】
【技術分野】
【０００１】
本発明は、ＦＰＣ用あるいはＦＦＣ用コネクタを備えるコネクタ装置に係り、特にコネクタ装置の防滴技術に関する。
【背景技術】
【０００２】
ＦＰＣ（フレキシブルプリント回路基板）又はＦＦＣ（フレキシブルフラットケーブル）が接続可能なＦＰＣ／ＦＦＣ用コネクタにおいては、その内部に電極を有する接続部が形成された開口部にＦＰＣ又はＦＦＣが挿入されて、コネクタとＦＰＣ又はＦＦＣとが電気的に接続される。
従来、この種のＦＰＣ／ＦＦＣ用コネクタにおいて、上記開口部からコネクタの内部に水分等の液体が侵入し、ショートすることがないよう、防水機構を備えたＦＰＣ／ＦＦＣ用コネクタが知られている（例えば特許文献１参照）。
【特許文献１】特開平８−２２８７０号公報
【発明の開示】
【発明が解決しようとする課題】
【０００３】
しかしながら、従来のＦＰＣ／ＦＦＣ用コネクタは、コネクタ自体に防水機構を持たせているため、コネクタの構造が複雑化し、さらにコネクタが大型化してしまう、という問題があった。
ところで、車載用オーディオ機器などのように、車室内に設けられる装置は、その大きさが制限されるとともに、ユーザが飲み物などをこぼした場合などにその影響を受けることが無いように、ＦＰＣ／ＦＦＣ用コネクタにおいて、防水機能は施す必要は無いが、防滴機能が必要とされる場合がある。
【０００４】
本発明は、上述した事情に鑑みてなされたものであり、小型、かつ、単純な構造で、防滴機能を有したコネクタ装置を提供することを目的とする。
【課題を解決するための手段】
【０００５】
上記目的を達成するために、本発明は基板に取り付けられ、開口部が形成された接続部を有し、前記接続部にＦＰＣ又はＦＦＣが挿入されて接続されるコネクタ、を有するコネクタ装置において、前記基板に固着され、前記ＦＰＣ又はＦＦＣを前記基板に押さえつけつつ、前記接続部を覆い、前記接続部への外部からの液体の侵入を遮断する弾性部材と、前記弾性部材に固着され、前記コネクタを覆い、前記コネクタに侵入する外部からの液体を遮断するフィルムと、を備えたことを特徴とする。
この構成によれば、弾性部材及びフィルムが、コネクタの接続部へ侵入する液体を遮断する。したがって、コネクタ自体に防滴機構を持たせるために、コネクタの構造を複雑化したり、また、コネクタを大型化したりすることなく、コネクタ装置に防滴機能を備えることができる。
【０００６】
ここで、上記発明のコネクタ装置において、前記弾性部材は、前記コネクタの外形に沿った形状の切り欠き部を有し、当該切り欠き部に前記コネクタを嵌めた状態で前記基板に固着されてもよい。
この構成によれば、弾性部材がコネクタの接続部のみならず、コネクタの外周を覆うため、コネクタの周辺部から侵入する液体を遮断することができ、コネクタ装置により強い防水機能を備えることができる。
【０００７】
また、上記発明のコネクタ装置において、前記接続部に形成された前記開口部は、鉛直方向下方へ開口し、前記弾性部材は、前記コネクタの下方側から前記開口部を覆った状態で前記基板に固着されていてもよい。
この構成によれば、コネクタにＦＰＣ又はＦＦＣが接続された場合において、例えば、ＦＰＣ又はＦＦＣと基板との間を毛細管現象等によって上昇してくる液体を、弾性部材が遮断し、開口部、ひいては、接続部に液体が侵入することが防止できる。
【０００８】
また、上記発明のコネクタ装置において、前記弾性部材は、前記接続部を覆う第一の面と、一端が前記第一の面の一端と連結され、前記コネクタの一側面を覆う第二の面と、一端が前記第一の面の他端と連結され、前記コネクタの他側面を覆う第三の面と、を有していてもよい。
この構成によれば、第一の面が接続部を覆うことにより、接続部に侵入する液体を遮断すると共に、第二の面及び第三の面がコネクタの側方から、接続部に、液体が侵入することを遮断するため、コネクタ装置により強い防滴機能を備えることができる。
【０００９】
また、上記発明のコネクタ装置において、前記コネクタは、ハウジングと、一端が前記ハウジングに回動可能に支持され、前記ＦＰＣ又はＦＦＣを所定位置に保持すべく回動されてロック状態となるロックレバーと、を有し、前記フィルムは、前記ロックレバーに当接されて前記ロックレバーの前記ロック状態を保持してもよい。
この構成によれば、フィルムがコネクタに侵入する液体を遮断すると共に、ロックレバーのロック状態を保持するため、コネクタとしての信頼性の向上を図ることができる。
【００１０】
また、上記発明のコネクタ装置において、前記フィルムは、透明材料で形成されていてもよい。
この構成によれば、フィルムが透明材料で形成されているため、防滴機構を担う弾性部材の取り付け状態を容易に確認することができ、特にコネクタがロック機構を有している場合には、フィルムを介して、ロックレバーがロック状態となっているか否かを確認することができ、製品の信頼性を向上させることができる。
【発明の効果】
【００１１】
本発明によれば、弾性部材及びフィルムが、コネクタの接続部へ侵入する液体を遮断する。したがって、コネクタ自体に防滴機構を持たせる必要がないので、コネクタの構造を複雑化したり、また、コネクタを大型化したりすることなく、コネクタ装置に防滴機能を備えることができる。
【発明を実施するための最良の形態】
【００１２】
以下、図面を参照して本発明の実施の形態について説明する。
図１は、本実施形態に係る車載オーディオ装置１０の斜視図である。
図１に示すように、車載オーディオ装置１０は、再生装置本体１１と、この再生装置本体１１の前面に配置され、再生装置本体１１の下部で回動可能に取り付けられたエスカッション１３とを備えている。このエスカッション１３の前面の周辺部には車載オーディオ装置１０の各種作動を指示するための複数のプッシュ式スイッチ１５が配置されている。
エスカッション１３が開かれると、エスカッション１３が閉じられた状態ではエスカッション１３の背面側に位置していた再生装置本体１１の前部に形成されたＣＤやＤＶＤ等の記録媒体を挿入するための挿入口（不図示）が露出する構成となっており、ユーザは、この挿入口を介してＣＤやＤＶＤ等を再生装置本体１１へ挿入し、上述したプッシュ式スイッチを操作して、ＣＤやＤＶＤ等の再生等を行う。
【００１３】
図２は、エスカッション１３を後方から見た分解斜視図である。
この図に示すように、エスカッション１３は、エスカッション本体２１を有しており、このエスカッション本体２１の略中央には、四角形に切り欠かれ、図示しないディスプレイが配置される開口２２が形成されている。この開口２２の図２における左方には、上下に延在する左面２１Ａが形成され、この左面２１Ａには、上記プッシュ式スイッチ１５が挿通するための３つののスイッチ貫通孔２４Ａが形成されている。また、開口２２の図２中右方には、上下に延在する右面２１Ｂが形成され、この右面２１Ｂには、上記プッシュ式スイッチ１５が挿通するための３つのスイッチ貫通孔２４Ｂが形成されている。また、開口２２の図２中下方には、左右に延在する下面２１Ｃが形成され、この下面２１Ｃには、上記のプッシュ式スイッチ１５が挿通するための４つのスイッチ貫通孔２４Ｃが形成されている。
【００１４】
エスカッション本体２１の裏面には、正面視略コ字状の基板２３が重ねて配置されており、この基板２３は、エスカッション本体２１の左面２１Ａに対応した左辺２３Ａと、右面２１Ｂに対応した右辺２３Ｂと、下面２１Ｃに対応した下辺２３Ｃとを有している。
この基板２３の裏面には、ガラス製のタッチパネル２５が重ねて配置され、このタッチパネル２５の裏面には、液晶モジュール２７が重ねて配置され、この液晶モジュール２７の裏面には、固定板２９が重ねて配置され、この固定板２９の裏面には、液晶回路３１が重ねて配置され、この液晶回路３１の裏面には、カバー３３が配置されている。
このカバー３３の４隅の位置には、４つの貫通孔３６が形成されており、エスカッション１３は、この貫通孔３６のそれぞれに、４つのねじ３５が貫通され、このねじ３５がエスカッション本体２１の裏面の４隅に設けられた４つのねじ受け３７のそれぞれに螺合されることにより、組み立てられている。
【００１５】
次いで、本実施形態に係るコネクタ装置４０について説明する。
図３は、コネクタ装置４０の取り付け構造を説明するための図であり、図４は、コネクタ装置４０の斜視図であり、図５は、後述する防滴カバー４１（弾性部材）が取り付けられる前のコネクタ装置４０を横から見た図であり、図６は、防滴カバー４１及び後述するフィルム４２が取り付けられた後のコネクタ装置４０を横から見た図である。
図３に示すにように、コネクタ装置４０は、基板２３と、この基板２３の下辺２３Ｃに取り付けられたＦＰＣ／ＦＦＣ用コネクタ４３とを有している。このＦＰＣ／ＦＦＣ用コネクタ４３の接続部３９には、ＦＰＣ４４が接続されている。このＦＰＣ４４には、制御基板（不図示）が接続されており、この制御基板（不図示）及び基板２３との間で信号通信が可能な構成となっている。
上記ＦＰＣ／ＦＦＣ用コネクタ４３は、図３に示すように、裏面が基板２３に固着された箱形状のハウジング４５と、一端がこのハウジング４５に回動自在に支持され、ＦＰＣ４４を保持すべく回動されてロック状態となるロックレバー４６と、を有し、ハウジング４５とロックレバー４６との間には、開口部４７が形成されている。ハウジング４５には、弾性力を有する係止片（不図示）が設けられており、ロックレバー４６をロック状態とする際は、上記係止片にロックレバー４６を係合させることによって、ハウジング４５とロックレバー４６とを係合固定する。
このＦＰＣ／ＦＦＣ用コネクタ４３にＦＰＣ４４を接続する際は、一旦、ハウジング４５とロックレバー４６との係合を解除することによりロックレバー４６をアンロック状態（図５において二点鎖線で示す状態）にした後、ＦＰＣ／ＦＦＣ用コネクタ４３の開口部４７にＦＰＣ４４を挿入し、ロックレバー４６をロック状態（図５において破線で示す状態）とし、ハウジング４５と、ロックレバー４６とによってＦＰＣ４４を挟持することにより、電気的に接続する。
【００１６】
本実施形態では、図３に示すように、ＦＰＣ４４が接続されたＦＰＣ／ＦＦＣ用コネクタ４３を囲むようにして、防滴カバー４１が基板２３に取り付けられる。この防滴カバー４１は、吸水性を有さず、かつ、弾性力を有する発泡樹脂（例えば、気泡が独立したスポンジ）で形成されている。
防滴カバー４１は、図３に示すように、正面視略コ字状をしており、図３中、左に形成され、上下に延在した第１側部カバー部４８Ａと、この第１側部カバー部４８Ａと対向するように延在した第２側部カバー部４８Ｂと、図３中下方に形成され、第１側部カバー部４８Ａ及び第２側部カバー部４８Ｂに連設されＦＰＣ／ＦＦＣ用コネクタ４３の接続部が設けられる開口部を覆うように形成された正面カバー部４８Ｃと、を有しており、第１側部カバー部４８ＡのＦＰＣ／ＦＦＣ用コネクタ４３に対向する位置には、第二の面３８Ａが形成され、第２側部カバー部４８ＢのＦＰＣ／ＦＦＣ用コネクタ４３に対向する位置には、第三の面３８Ｂが形成され、正面カバー部４８ＣのＦＰＣ／ＦＦＣ用コネクタ４３に対向する位置には、第一の面３８Ｃが形成され、これら第一、第二、第三の面により、防滴カバー切り欠き部４９が形成されている。この防滴カバー切り欠き部４９の正面視における横方向（図３における左右方向。以下、同様。）の長さは、ＦＰＣ／ＦＦＣ用コネクタ４３の正面視における横の長さと略同一であり、同様に、防滴カバー切り欠き部４９の正面視における縦方向（図３における上下方向。以下、同様。）の長さは、ＦＰＣ／ＦＦＣ用コネクタ４３の正面視における縦の長さと略同一である。また、防滴カバー切り欠き部４９の高さは、ＦＰＣ／ＦＦＣ用コネクタ４３の高さと略同一である。なお、これらの寸法は、防滴機構が実現可能である限り適宜設定されうるものである。
【００１７】
この防滴カバー４１は、ＦＰＣ／ＦＦＣ用コネクタ４３は、以下のようにして取り付けられている。すなわち、防滴カバー４１は、その裏面の全域にいわゆる両面テープ（不図示）が張り付けられ、図４に示すように、防滴カバー切り欠き部４９にＦＰＣ／ＦＦＣ用コネクタ４３を配置した状態で、両面テープ（不図示）を介して基板２３に貼り付けられる。上述したように、防滴カバー切り欠き部４９の縦、横、高さの長さは、ＦＰＣ／ＦＦＣ用コネクタ４３の縦、横、高さの長さと略同一であるため、ＦＰＣ／ＦＦＣ用コネクタ４３は、防滴カバー切り欠き部４９に嵌まり込んだ状態で配置され、第二の面３８Ａ及び第三の面３８Ｂが、ＦＰＣ／ＦＦＣ用コネクタ４３の両側面を覆い、かつ、第三の面３８ＣがＦＰＣ／ＦＦＣ用コネクタ４３の接続部３９の底面を覆った状態となる。
その際、防滴カバー４１の正面カバー部４８Ｃの第一の面３８Ｃは、ＦＰＣ／ＦＦＣ用コネクタ４３の開口部４７の全域を覆うことにより開口部４７の開口を塞ぐ。さらに、正面カバー部４８Ｃは、ＦＰＣ４４を基板２３側へ押圧し、ＦＰＣ４４と基板２３とを密着させた状態（図６参照）で保持する。防滴カバー４１は、上述したように、弾力性を有しているため、正面カバー部４８Ｃは、ＦＰＣ４４及び基板２３の形状に応じて変形し、ＦＰＣ４４及び基板２３と密着した状態で基板２３に貼り付けられ、正面カバー部４８Ｃと基板２３との間には、隙間が生じない。このように、防滴カバー４１が貼り付けられた後は、防滴カバー４１と基板２３との間に隙間が生じず、かつ、ＦＰＣ４４と基板２３との間に隙間が生じない。
【００１８】
基板２３に貼り付けられた防滴カバー４１には、さらに、図３に示すように、フィルム４２が接着される。このフィルム４２は、透明材料で形成された板状部材であり、防滴カバー４１の縦の長さと略同一の縦の長さ、及び、防滴カバー４１の横の長さと略同一の横の長さを有している。フィルム４２は、図４に示すように、ＦＰＣ／ＦＦＣ用コネクタ４３及び防滴カバー４１の前面の全域を覆った状態で、防滴カバー４１の前面に接着されている。また、防滴カバー４１は、図６に示すように、ロックレバー４６の前面に当接した状態で、防滴カバー４１に接着されている。本実施形態では、フィルム４２は、ロックレバー４６の前面に当接することにより、ロックレバー４６の回動を規制し、ロックレバー４６のロック状態を保持しているため、例えば、ＦＰＣ４４がぶれる等して、ロックレバー４６に対し、ロックレバー４６をアンロック状態へと変位させるような外力が加わった場合でも、ロックレバー４６がアンロック状態となることがない。また、フィルム４２は、透明材料にて形成されているため、このフィルム４２を介して、防滴カバー４１の貼り付け状態、ひいては、防滴状態の確認並びにフィルム４２がロックレバー４６のロック状態を保持している様子を確認することができ、確実にロック状態を維持することができる。
【００１９】
次いで、本実施形態に係るコネクタ装置４０の防滴構造について説明する。
ここで、説明の便宜のため、本実施形態に係る車載オーディオ装置１０が搭載された車両において、乗員が飲み物等の液体をこぼしてしまい、車載オーディオ装置１０の正面にその液体がかかり、図１に示すエスカッション本体２１の開口２２の下端５０からエスカッション１３の内部へ多少の液体が入り込んだとする。
上述の状況で、図５に示すように、ＦＰＣ４４において下方に向かって凸に湾曲した部分に液体が溜まった場合や、ＦＰＣ４４と基板２３との間に水滴がついてしまった場合、従来は、振動等によって溜まった液体が上方へ変位したり（図５の矢印Ｙ１参照）、また、ＦＰＣ４４と基板２３との間についた水滴が毛細管現象にて上昇したり（図５の矢印Ｙ２参照）する等して、開口部４７に液体が侵入する可能性があった。
しかし、本実施形態では、図６に示すように、開口部４７を防滴カバー４１の正面カバー部４８Ｃが覆っているため、ＦＰＣ４４の湾曲部に溜まった液体は、この正面カバー部４８Ｃに遮断され、開口部４７へ侵入することがない（図６の矢印Ｙ３参照）。また、上述したように、正面カバー部４８Ｃと、基板２３との間には、水滴が奥（接続部近傍）まで侵入するような隙間が形成されていないため、ＦＰＣ４４と基板２３との間を毛細管現象により上昇した液体がＦＰＣ／ＦＦＣ用コネクタ４３に侵入することが防止される。
また、本実施形態では、防滴カバー４１の第１側部カバー部４８Ａ及び第２側部カバー部４８ＢがＦＰＣ／ＦＦＣ用コネクタ４３の両側部から接続部３９へ向かって侵入する液体を遮断すると共に、フィルム４２がＦＰＣ／ＦＦＣ用コネクタ４３の正面から液体が侵入することを防止する。
【００２０】
以上説明したように、本実施の形態によれば、防滴カバー４１（弾性部材）がＦＰＣ４４を前記基板に押さえつけつつ、接続部３９を覆い、また、ＦＰＣ／ＦＦＣ用コネクタ４３の正面を覆うようにフィルム４２が防滴カバー４１に接着されているため、防滴カバー４１及びフィルム４２が、ＦＰＣ／ＦＦＣ用コネクタ４３の接続部３９へ侵入する液体を遮断する。したがって、ＦＰＣ／ＦＦＣ用コネクタ４３に防滴機構を設ける必要がないので、ＦＰＣ／ＦＦＣ用コネクタ４３の構造を複雑化したり、また、ＦＰＣ／ＦＦＣ用コネクタ４３を大型化したりすることなく、コネクタ装置に防滴機能を付加することができる。
【００２１】
また、本実施の形態によれば、防滴カバー４１は、ＦＰＣ／ＦＦＣ用コネクタ４３の外形に沿った形状の防滴カバー切り欠き部４９を有し、防滴カバー切り欠き部４９にＦＰＣ／ＦＦＣ用コネクタ４３を嵌めた状態で基板２３に固着されているため、ＦＰＣ／ＦＦＣ用コネクタ４３の周辺部から侵入する液体も遮断することができ、コネクタ装置により強い防滴機能を備えることができる。
【００２２】
また、本実施の形態によれば、鉛直方向下方へ開口した開口部４７へ向かって、ＦＰＣ４４と基板２３との間を毛細管現象等によって上昇してくる液体を、防滴カバー４１が遮断するため、開口部４７に液体が侵入することが防止できる。
また、本実施の形態によれば、第一の面３８Ｃが接続部３９を覆うことにより、接続部３９に侵入する液体を遮断すると共に、第二の面３８Ａ及び第三の面３８ＢがＦＰＣ／ＦＦＣ用コネクタ４３の側方から、接続部３９に、液体が侵入することを遮断するため、ＦＰＣ／ＦＦＣ用コネクタ４３により強い防滴機能を備えることができる。
また、本実施の形態によれば、フィルム４２がＦＰＣ／ＦＦＣ用コネクタ４３に侵入する液体を遮断すると共に、ロックレバー４６のロック状態を保持するため、コネクタとしての信頼性の向上を図ることができる。
また、本実施の形態によれば、フィルム４２が透明材料で形成されているため、フィルム４２を介して、ロックレバー４６がロック状態となっているか否かを確認することができる。
【００２３】
次いで、別の実施形態について説明する。
図７は、別の実施形態を説明するためのコネクタ装置４０の分解斜視図である。なお、図７において図３に示す構成要素と同じものについては同一の符号を付し、その説明を省略する。
この図に示すように、当実施形態では、防滴カバー４１が正面視コ字状ではなく、正面視ロ字状となっており、上部に第１側部カバー部４８Ａの上方の端及び第２側部カバー部４８Ｂの上方の端を連結するように、カバー上部４８Ｄが形成されている。
この実施形態によれば、上述した本実施形態と同様の効果が得られると共に、ＦＰＣ／ＦＦＣ用コネクタ４３へ上方からＦＰＣ／ＦＦＣ用コネクタ４３に至る水滴などの液体を、カバー上部４８Ｄによって遮断することができる。
【００２４】
なお、上述した実施の形態は、あくまでも本発明の一態様を示すものであり、本発明の範囲内で任意に変形および応用が可能である。
例えば、防滴カバー４１は、両面テープを介して基板２３に取り付けられているが、これは、接着剤等によって接着される構成でもよい。また、本実施形態では、防滴カバー４１は、吸水性を有さず、かつ、弾性力を有するスポンジで形成されているが、これは、防滴カバー４１は、スポンジに限らず、吸水性を有さず、かつ、弾力性を有する材質にて形成されていればよい。
また、本実施形態では、開口部４７が鉛直方向下方へ向かって開口しているＦＰＣ／ＦＦＣ用コネクタ４３を例にして説明したが、開口した方向は、鉛直方向下方に限らなず、開口部４７が防滴カバー４１にて塞がれ、開口部４７へ侵入する液体が遮断されればよい。
また、本実施形態では、ＦＰＣ／ＦＦＣ用コネクタ４３にＦＰＣ４４が接続された場合を例にして説明したが、当然これは、ＦＦＣでもよい。
【図面の簡単な説明】
【００２５】
【図１】本実施形態に係る車載オーディオ装置の斜視図である。
【図２】エスカッションを後方から見た分解斜視図である。
【図３】コネクタ装置の取り付け構造を説明するための図である。
【図４】コネクタ装置の斜視図である。
【図５】防滴カバー（弾性部材）が取り付けられる前のコネクタ装置を横から見た図である。
【図６】防滴カバー及びフィルムが取り付けられた後のコネクタ装置を横から見た図である。
【図７】別の実施形態を説明するためのコネクタ装置の分解斜視図である。
【符号の説明】
【００２６】
１０  車載オーディオ装置
１３  エスカッション
２３  基板
３８Ａ  第二の面
３８Ｂ  第三の面
３８Ｃ  第一の面
３９  接続部
４０  コネクタ装置
４１  防滴カバー（弾性部材）
４２  フィルム
４３  ＦＰＣ／ＦＦＣ用コネクタ
４４  ＦＰＣ
４５  ハウジング
４６  ロックレバー
４７  開口部
４９  防滴カバー切り欠き部
【図１】
2008277060.tif 000003
【図２】
2008277060.tif 000004
【図３】
2008277060.tif 000005
【図４】
2008277060.tif 000006
【図５】
2008277060.tif 000007
【図６】
2008277060.tif 000008
【図７】
2008277060.tif 000009